(57)【要約】  本発明の実施例は、無線通信システムにおける送信ビームを効率的に割り当てる方法及び装置を提供する。本発明の一実施例によれば、無線通信システムにおける基地局のビーム割り当て方法は、多数の下向きリンク送信ビームを用いて基準信号を端末に伝送する過程と、前記基準信号の受信に応答して前記端末により決定された多数の候補下向きリンク送信ビームに対する情報を受信する過程と、前記多数の候補下向きリンク送信ビームの中から予め定められた規則によって少なくとも一つの下向きリンク送信ビームを選択する過程と、バースト伝送のための、前記選択された少なくとも一つの下向きリンク送信ビーム情報を含む制御情報を生成する過程と、前記選択された少なくとも一つの下向きリンク送信ビームを用いて前記制御情報を前記端末に伝送する過程と、前記制御情報に含まれた送信ビーム情報に基づいてデータバーストを伝送する過程と、を含む。
2014526837.tif 000002
【特許請求の範囲】
【請求項１】
無線通信システムにおける基地局のビーム割り当て方法であって、
多数の下向きリンク送信ビームを用いて基準信号を端末に伝送する過程と、
前記基準信号の受信に応答して前記端末により決定された多数の候補下向きリンク送信ビームに対する情報を受信する過程と、
前記多数の候補下向きリンク送信ビームの中から予め定められた規則によって少なくとも一つの下向きリンク送信ビームを選択する過程と、
バースト伝送のための、前記選択された少なくとも一つの下向きリンク送信ビーム情報を含む制御情報を生成する過程と、
前記選択された少なくとも一つの下向きリンク送信ビームを用いて前記制御情報を前記端末に伝送する過程と、
前記制御情報に含まれた送信ビーム情報に基づいてデータバーストを前記端末に伝送する過程と、を含む、方法。
【請求項２】
無線通信システムにおける基地局のビーム割り当て装置であって、
多数の下向きリンク送信ビームを用いて基準信号を端末に伝送し、多数の候補下向きリンク送信ビームから選択された少なくとも一つの下向きリンク送信ビームを用いて制御情報を前記端末に伝送し、前記制御情報に含まれた送信ビーム情報に基づいてデータバーストを前記端末に伝送する送信機と、
前記基準信号の受信に応答して前記端末によって決定された前記多数の候補下向きリンク送信ビームに対する情報を受信する受信機と、
前記多数の候補下向きリンク送信ビームの中から予め定められた規則によって前記少なくとも一つの下向きリンク送信ビームを選択し、バースト伝送のための前記制御情報を生成する制御部と、を含み、
前記制御情報は、前記選択された候補下向きリンク送信ビーム情報を含む、装置。
【請求項３】
無線通信システムにおける端末のビーム割り当て方法であって、
多数の下向きリンク送信ビームを用いて伝送される基準信号を基地局から受信する過程と、
前記基準信号の受信に応答して多数の候補下向きリンク送信ビームを決定する過程と、
前記決定された多数の候補下向きリンク送信ビームに対する情報を前記基地局に伝送する過程と、
前記多数の候補下向きリンク送信ビームの中から予め定められた規則によって選択された一つ以上の前記下向きリンク送信ビームの中から最適の下向きリンク送信ビームに対応する受信ビームを用いて前記基地局からの制御情報を受信する過程と、
前記制御情報からデータバースト伝送のために使用された送信ビーム情報を抽出する過程と、
前記抽出された送信ビーム情報に基づいて受信ビームを決定する過程と、
前記決定された受信ビームを用いて前記基地局からのデータバーストを受信する過程と、を含む、方法。
【請求項４】
無線通信システムにおける端末のビーム割り当て装置であって、
多数の下向きリンク送信ビームを用いて伝送される基準信号と、制御情報及びデータバーストを基地局から受信するための受信機と、
多数の候補下向きリンク送信ビームに対する情報を送信するための送信機と、
前記基準信号の受信に応答して前記多数の候補下向きリンク送信ビームを決定し、前記制御情報から前記データバースト伝送のために使用された送信ビーム情報を抽出し、前記抽出された送信ビーム情報に基づいて受信ビームを決定する制御部と、を含み、
前記制御情報は、
前記多数の候補下向きリンク送信ビームの中から予め定められた規則によって選択された一つ以上の送信ビームの中から最適の下向きリンク送信ビームに対応する受信ビームを用いて前記基地局から  前記受信機によって受信され、
前記データバーストは、
前記決定された受信ビームを用いて前記基地局から前記受信機によって受信される、装置。
【請求項５】
前記定められた規則は、
予め前記基地局から前記端末に通知される、請求項１から請求項４のいずれかに記載の方法又は装置。
【請求項６】
前記定められた規則は、
予め放送チャンネルを通じて前記基地局から前記端末に通知される、請求項５に記載の方法又は装置。
【請求項７】
前記定められた規則は、
信号強度によって前記多数の候補下向きリンク送信ビームの中から少なくとも一つの下向きリンク送信ビームを選択するように使用される、請求項５に記載の方法又は装置。
【請求項８】
前記多数の候補下向きリンク送信ビームの数は、
１より大きく、前記多数の下向きリンク送信ビームの数より小さいか、又は同じである、請求項１から請求項４のいずれかに記載の方法又は装置。
【請求項９】
前記制御情報は、
バースト割り当てのためのＭＡＰ情報を含む、請求項１から請求項４のいずれかに記載の方法又は装置。
【請求項１０】
前記選択された少なくとも一つの下向きリンク送信ビームの数は、
１より大きく、前記多数の候補下向きリンク送信ビームの数より小さいか、又は同じである、請求項１から請求項４のいずれかに記載の方法又は装置。
【請求項１１】
前記送信ビーム情報は、
データバースト伝送のための少なくとも一つの送信ビームインデックスを含む、請求項１から請求項４のいずれかに記載の方法又は装置。
【請求項１２】
前記送信ビーム情報は、
以前に伝送された制御情報に含まれた送信ビーム情報を更新するための情報を含む、請求項１から請求項４のいずれかに記載の方法又は装置。
【請求項１３】
前記多数の候補下向きリンク送信ビームに対する情報を受信するとともに、前記多数の候補下向きリンク送信ビームに対応する前記端末での一つ以上の最適の下向きリンク受信ビームを指示する指示情報を受信する過程をさらに含む、請求項１又は請求項２に記載の方法又は装置。
【請求項１４】
前記多数の候補下向きリンク送信ビームに対する情報を伝送するとともに、前記多数の候補下向きリンク送信ビームに対応する一つ以上の最適の下向きリンク受信ビームを指示する指示情報を送信する過程をさらに含む、請求項３又は請求項４に記載の方法又は装置。
【請求項１５】
前記指示情報は、
前記多数の候補下向きリンク送信ビームのうちの任意のビームが、一つの最適の下向きリンク受信ビームに対応するか否かを指示する情報を含む、請求項１３又は請求項１４に記載の方法又は装置。
【請求項１６】
前記指示情報は、
前記多数の候補下向きリンク送信ビームに対応するビットから構成されるビットマップ形式を持ち、
各ビットは、
各候補下向きリンク送信ビームに対応する受信ビームが、最適の下向きリンク受信ビームであるか否かを指示する情報を含む、請求項１３又は請求項１４に記載の方法又は装置。
【請求項１７】
前記指示情報は、
前記多数の候補下向きリンク送信ビームに対応する下向きリンク受信ビームを指示する情報を含む、請求項１３又は請求項１４に記載の方法又は装置。
【発明の詳細な説明】
【技術分野】
【０００１】
本発明は、一般に無線通信システムに関し、特に、無線通信システムにおけるビーム割り当て装置及び方法に関する。
【背景技術】
【０００２】
無線通信システムは、増加し続ける無線データトラフィックの需要を満たすため、より高いデータ伝送率を支援するための方向に発展してきた。
【０００３】
現在までの４世代(４ｔｈ Ｇｅｎｅｒａｔｉｏｎ、４Ｇ)システムは、データ伝送率の増加のために主に周波数の効率性(ｓｐｅｃｔｒａｌ ｅｆｆｉｃｉｅｎｃｙ)を改善する方向に技術開発を追求したが、このような周波数の効率性改善の技術だけでは急増する無線データトラフィックの需要を満たすのが困難になった。
【０００４】
このような問題点を解決するための一つの方法は、非常に広い周波数帯域を使用することであるが、現在、使用している周波数(１０ＧＨｚ以下)では広い周波数帯域の確保が非常に困難であるので、より高い周波数帯域を確保すべき必要性がある。
【０００５】
しかし、無線通信のための伝送周波数が高ければ高いほど電波の到達距離は、相対的に短くなってサービス領域(ｃｏｖｅｒａｇｅ)の減少を招くことになる。これを解決するための、即ち、電波の伝達距離を増加させるための重要技術の一つがビームフォーミング(ｂｅａｍ ｆｏｒｍｉｎｇ)技術である。
【０００６】
送信ビームフォーミングは、一般に多数のアンテナを用いて電波の到達領域を特定の方向に集中させる方法である。多数のアンテナが集合した形態をアンテナ配列(ａｎｔｅｎｎａ  ａｒｒａｙ)、配列に含まれているアンテナを配列要素(ａｒｒａｙ  ｅｌｅｍｅｎｔ)とする。送信ビームフォーミングを使用すると、信号の伝送距離を増加させることができ、また、該当方向以外の他の方向には信号が殆ど伝送されないため、他のユーザの信号に干渉を非常に減らす長所がある。
【０００７】
一方、受信側でも受信アンテナ配列を用いて受信ビームフォーミングを行なうことができるが、前記受信ビームフォーミングも電波の受信を特定の方向に集中させて該当方向に入ってくる信号の利得(ｇａｉｎ)を増加させ、また、該当方向以外の方向に入ってくる信号を受信信号から排除することにより干渉信号を遮断する。
【０００８】
このようなビームフォーミングを使用するためには、基本的に基地局と端末で送・受信ビームを測定/選択し、選択されたビーム情報を互いにフィードバックする技術が必要である。ビーム情報をフィードバックする時、ビームダイバーシティ、ビームスケジューリングの柔軟性(ｆｌｅｘｉｂｉｌｉｔｙ)などのために、基地局と端末は一つ以上の最適のビームに対する情報を互いに伝送することができ、このような場合に基地局ではデータ及び制御リソースの割り当ての際に多数のビームを同時に、又は多数のビームの中から選択してビームを割り当てることができる。したがって、端末と基地局での送・受信ビームフォーミングのために、基地局は、端末にビーム割り当て情報を明確に提供しなければならない。又は、データ及び制御リソースの割り当ての際、明確なビーム割り当て方法が予め定義されなければならない。
【０００９】
したがって、無線通信システムにおける送信ビームを効率的に割り当てる方法及び装置が必要である。
【００１０】
前述の情報は、単に本開示の理解を助けるため、背景情報として提示されたものである。このような情報が本発明に対する従来技術として適用されうるかに対する如何なる決定や主張も提起されてはならない。
【発明の概要】
【発明が解決しようとする課題】
【００１１】
本発明の実施例は、無線通信システムにおける送信ビームを効率的に割り当てる方法及び装置を提供することにある。
【００１２】
本発明の一実施例によれば、無線通信システムにおける基地局のビーム割り当て方法が提供される。前記方法は、多数の下向きリンク送信ビームを用いて基準信号を端末に伝送する過程と、前記基準信号の受信に応答して前記端末により決定された多数の候補下向きリンク送信ビームに対する情報を受信する過程と、前記多数の候補下向きリンク送信ビームの中から予め定められた規則によって少なくとも一つの下向きリンク送信ビームを選択する過程と、バースト伝送のための、前記選択された少なくとも一つの下向きリンク送信ビーム情報を含む制御情報を生成する過程と、前記選択された少なくとも一つの下向きリンク送信ビームを用いて前記制御情報を前記端末に伝送する過程と、前記制御情報に含まれた送信ビーム情報に基づいてデータバーストを伝送する過程と、を含む。
【００１３】
本発明の他の実施例によれば、無線通信システムにおける端末のビーム割り当て方法が提供される。前記方法は、多数の下向きリンク送信ビームを用いて伝送される基準信号を基地局から受信する過程と、前記基準信号の受信に応答して多数の候補下向きリンク送信ビームを決定する過程と、前記決定された多数の候補下向きリンク送信ビームに対する情報を前記基地局に伝送する過程と、前記多数の候補下向きリンク送信ビームの中から予め定められた規則によって選択された一つ以上の下向きリンク送信ビームの中から最適の下向きリンク送信ビームに対応する受信ビームを用いて前記基地局からの制御情報を受信する過程と、前記制御情報からデータバースト伝送のために使用された送信ビーム情報を抽出する過程と、前記抽出された送信ビーム情報に基づいて受信ビームを決定する過程と、前記決定された受信ビームを用いて前記基地局からのデータバーストを受信する過程と、を含む。
【００１４】
本発明のさらに他の実施例によれば、無線通信システムにおける基地局のビーム割り当て装置が提供される。前記装置は、多数の下向きリンク送信ビームを用いて基準信号を端末に伝送し、多数の候補下向きリンク送信ビームから選択された少なくとも一つの下向きリンク送信ビームを用いて制御情報を前記端末に伝送し、前記制御情報に含まれた送信ビーム情報に基づいてデータバーストを前記端末に伝送する送信機と、前記基準信号の受信に応答して前記端末によって決定された前記多数の候補下向きリンク送信ビームに対する情報を受信する受信機と、前記多数の候補下向きリンク送信ビームの中から予め定められた規則によって前記少なくとも一つの下向きリンク送信ビームを選択し、前記選択された候補下向きリンク送信ビーム情報を含み、バースト伝送のための前記制御情報を生成する制御部と、を含む。
【００１５】
本発明のさらに他の実施例によれば、無線通信システムにおける基地局のビーム割り当て装置が提供される。前記装置は、多数の下向きリンク送信ビームを用いて伝送される基準信号と、制御情報及びデータバーストを基地局から受信するための受信機と、多数の候補下向きリンク送信ビームに対する情報を送信するための送信機と、前記基準信号の受信に応答して前記多数の候補下向きリンク送信ビームを決定し、前記制御情報から前記データバースト伝送のために使用された送信ビーム情報を抽出し、前記抽出された送信ビーム情報に基づいて受信ビームを決定する制御部を含む。前記制御情報は、前記多数の候補下向きリンク送信ビームの中から予め定められた規則によって選択された一つ以上の送信ビームの中から最適の下向きリンク送信ビームに対応する受信ビームを用いて前記基地局から前記受信機によって受信される。前記データバーストは、前記決定された受信ビームを用いて前記基地局から前記受信機によって受信される。
【発明の効果】
【００１６】
前述のように、本発明の実施例は、無線通信システムにおける送信ビームを効果的に割り当てる方法を提供し、多数のビームを同時に、又は多数のビームの中から選択して伝送できるようにしてビームダイバーシティ、ビームスケジューリングの柔軟性などの利得を提供する。
【図面の簡単な説明】
【００１７】
【図１ａ】本発明の実施例が適用される基地局と端末間の送・受信ビームパターンを示す。
【図１ｂ】本発明の実施例が適用される基地局と端末間の送・受信ビームパターンを示す。
【図１ｃ】本発明の実施例によって基地局と端末間で下向きリンク基準信号を送受信する動作を示す。
【図１ｄ】本発明の実施例によって基地局と端末間で上向きリンク基準信号を送受信する動作を示す。
【図２】本発明の第１実施例による基地局のビーム割り当てのための流れ図を示す。
【図３】本発明の第１実施例による端末のビーム割り当てのための流れ図を示す。
【図４】本発明の第２実施例による基地局のビーム割り当ての流れ図を示す。
【図５】本発明の第２実施例による端末のビーム割り当ての流れ図を示す。
【図６】本発明の第３実施例による基地局のビーム割り当ての流れ図を示す。
【図７】本発明の第３実施例による端末のビーム割り当ての流れ図を示す。
【図８】本発明の実施例による下向きリンク送信ビーム情報及び受信ビーム指示情報の構造を示す。
【図９】本発明の実施例によるビーム割り当て動作時に選択される最適の下向きリンク送信ビームと受信ビームペア(ｐａｉｒ)の例を示す。
【図１０】本発明の実施例による制御情報の構造を示す。
【図１１】本発明の一実施例によるビーム割り当て動作のための基地局と端末間での流れを示す。
【図１２】本発明の他の実施例によるビーム割り当て動作のための基地局と端末間での流れを示す。
【図１３】本発明の実施例によるビーム割り当て動作のための基地局装置の構成を示す。
【図１４】本発明の実施例によるビーム割り当て動作のための端末装置の構成を示す。
【発明を実施するための形態】
【００１８】
以下、本発明の望ましい実施例を添付された図面の参照とともに詳しく説明する。また、本発明を説明するにおいて、関連した公知機能、又は構成に対する具体的な説明が本発明の要旨を不要に混乱させうると判断された場合、その詳細な説明は省略する。また、後述する用語は、本発明での機能を考慮して定義された用語であって、これは、ユーザ、運用者の意図、又は慣例などによって異なりうる。したがって、その定義は本明細書の全般にわたる内容に基づいて下されなければならないだろう。
【００１９】
以下、本発明は、無線通信システムにおけるビーム割り当て方法及び装置に対して説明する。
【００２０】
以下、本発明では、３つの実施例に対するビーム割り当て方法及び装置を提案する。第１実施例(図２及び図３)は、バースト(ｂｕｒｓｔ)(又は、パケット)に対する割り当て情報を含む制御情報(以下、『ＭＡＰ』とする)の伝送時のビーム割り当て方法である。この場合、ＭＡＰは、下向きリンク信号に該当する。第２実施例(図４及び図５)は、ＭＡＰによって割り当てられたバーストを伝送する時のビーム割り当て方法である。この場合、バーストは下向きリンク及び上向きリンク信号をすべて含む。第３実施例(図６及び図７)は、ＭＡＰ及びＭＡＰによって割り当てられたバーストを伝送する時のビーム割り当て方法である。
【００２１】
以下、下向きリンクの場合、前記３つの実施例に対して基地局(Ｂａｓｅ Ｓｔａｔｉｏｎ、ＢＳ)が端末(Ｍｏｂｉｌｅ Ｓｔａｔｉｏｎ、ＭＳ)から一つ以上(Ｐ個)の下向きリンクの最適の送信ビーム情報がフィードバックされ、上向きリンクの場合、第２及び第３実施例に対して基地局は、一つ以上(Ｑ個)の上向きリンクの最適の送信ビームを推定して知っている。ここで、下向きリンク及び上向きリンクは、一つの端末が一つの基地局(又は、セクタ、ＲＲＨ(Ｒｅｍｏｔｅ Ｒａｄｉｏ Ｈｅａｄ)など)と通信する場合だけでなく、一つ以上の基地局(又は、セクタ、ＲＲＨなど)と通信する場合も含む。
【００２２】
図１ａ及び図１ｂは、本発明の実施例が適用される基地局と端末間の送・受信ビームパターンを示している。図１ｃは、本発明の実施例によって基地局と端末間で下向きリンク基準信号を送受信する動作を示している。図１ｄは、本発明の実施例によって基地局と端末間で上向きリンク基準信号を送受信する動作を示している。
【００２３】
前記図１ａを参照すると、基地局１１０でＫ個の送信ビームパターンを生成することができ、端末１２０でＬ個の受信ビームパターンを生成する場合、前記基地局１１０は、特定の時間区間に計Ｎ=(Ｋ*Ｌ)個の下向きリンク基準信号を前記端末１２０に伝送し、前記端末１２０が最適の下向きリンク送信ビームパターンと最適の下向きリンク受信ビームパターンを決定しうる。ここで、端末１２０は、一つの下向きリンク基準信号を一つの受信ビームパターンのみを生成して受信できる場合を仮定したものであり(図１ｃの(ａ))、具現によって端末１２０は、一つの下向きリンク基準信号を同時に複数の受信ビームパターンを生成して受信しうる(図１ｃの(ｂ))。即ち、端末の具現によって下向きリンク送受信ビームパターンを決定するのに必要な下向きリンク基準信号の個数は異なりうる。
【００２４】
前記図１ｂを参照すると、端末１２０でＬ個の送信ビームパターンを生成することができ、基地局１１０でＫ個の受信ビームパターンを生成する場合、前記端末１２０は、特定の時間区間に計Ｎ(=Ｋ*Ｌ)個の上向きリンク基準信号を前記基地局１１０に伝送し、前記基地局１１０が最適の上向きリンク送信ビームパターンと最適の上向きリンク受信ビームパターンを決定しうる。ここで、基地局は、一つの上向きリンク基準信号を一つの受信ビームパターンのみを生成して受信できる場合を仮定したものであり(図１ｄの(ａ))、具現によって基地局は、一つの上向きリンク基準信号を同時に複数の受信ビームパターンを生成して受信することができる(図１ｄの(ｂ))。即ち、基地局の具現によって上向きリンク送受信ビームパターンを決定するのに必要な上向きリンク基準信号の個数は異なりうる。
【００２５】
図２は、本発明の第１実施例による基地局のビーム割り当てのための流れ図を示す。この実施例によれば、基地局は、初期ＭＡＰの伝送時、送信ビームを割り当てる。
【００２６】
前記図２を参照すると、基地局は段階２００で図１ａのように、Ｎ(=Ｋ*Ｌ)回繰り返して下向きリンク基準信号を伝送し、段階２０２で端末からＰ個(ここで、Ｐは１より大きく、Ｋより小さいか、又は同じ整数)の候補下向きリンク送信ビーム情報を受信する。段階２００及び段階２０２は、ＭＡＰ伝送時ごとに必ずしも行なう必要はなく、周期的に、又は特定時点に必要に応じて行うことができる。
【００２７】
以後、基地局は、段階２０４でＰ個の候補下向きリンク送信ビームの中から少なくとも一つの最適送信ビームを選択する。基地局がどのような送信ビームを選択するかに対する規則は、予め端末と基地局の間で約束されなければならない。前記規則は、予め基地局から端末に通知される。一例として放送チャンネルを通じて端末に通知されうる。前記規則に対する一つの方法として基地局は、端末からフィードバックされたＰ個の送信ビームのうち、基準信号の信号強度に基づいて最適の送信ビームを選択する。例えば、基地局は、基準信号(ｒｅｆｅｒｅｎｃｅ  ｓｉｇｎａｌ)のＲＳＳＩ(ｒｅｃｅｉｖｅｄ ｓｉｇｎａｌｓｔｒｅｎｇｔｈ ｉｎｄｉｃａｔｉｏｎ)、ＣＩＮＲ(ｃａｒｒｉｅｒ ｔｏｉｎｔｅｒｆｅｒｅｎｃｅ ａｎｄ ｎｏｉｓｅ ｒａｔｉｏ)、ＳＩＲ(ｓｉｇｎａｌ ｔｏ ｉｎｔｅｒｆｅｒｅｎｃｅｒａｔｉｏ)などに基づいて最適の送信ビームを選択する。
【００２８】
図９は、本発明の実施例によるビーム割り当て動作時に選択される下向きリンクで最適の送信ビームと受信ビームペア(ｐａｉｒ)を例示的に示す。即ち、図１ａのように基地局１１０は、Ｋ*Ｌ個の下向きリンク基準信号を端末１２０に伝送すると、端末は受信されたＫ*Ｌ個の下向きリンク基準信号のＲＳＳＩ、ＣＩＮＲ、ＳＩＲなどを測定し、Ｐ(ここで、Ｐは１より大きく、Ｋより小さいか、又は同じ整数)個の送・受信ビームペア(ｐａｉｒ)を選択して基地局に伝送する。
【００２９】
前記図９を参照すると、Ｐ＝４(送信ビームインデックス:３、４、６、９)の場合であり、例えば、最も最適の送信ビームが３である。送信ビーム３に対応する最適の受信ビームは１であり、送信ビーム４に対応する最適の受信ビームは３、送信ビーム６に対応する最適の受信ビームは１、送信ビーム９に対応する最適の受信ビームは５である。最適の送信ビームに対応する最適の受信ビームは、各送信ビームによって異なることもあり、基地局は、ＭＡＰの伝送のために３又は６送信ビームの一つを選択することができる。
【００３０】
図８は、本発明の実施例による下向きリンク送信ビーム情報及び受信ビーム指示情報の構造を示す。図８を参照すると、端末が基地局にＰ個の候補下向きリンク送信ビーム情報をフィードバックする時(図８の(ａ))、対応する最適の受信ビーム情報をともに伝達しない場合、基地局は、最も最適の送信ビーム(例えば、図６の送信ビームインデックス３)を選択する。
【００３１】
さらに他の具現によって、端末が基地局にＰ個の下向きリンク最適の送信ビーム情報のフィードバックの際(図８の(ａ))、以下のような指示情報(３つ例示)をともに伝達しうる(図８の(ｂ)、(ｃ)、(ｄ))。この場合、基地局は、フィードバックされたＰ個の下向きリンク送信ビームのうち対応する最適の受信ビームが最も最適の送信ビーム(例えば、送信ビームインデックス３)に対応する最適の受信ビーム(例えば、受信ビームインデックス１)と同一の特定の送信ビーム(例えば、送信ビームインデックス６)を選択することもできる。
【００３２】
第１例として、前記指示情報は、Ｐ個の候補下向きリンク送信ビームが全て一つの下向きリンク最適受信ビームに対応するか否かに対する情報であって、１ビット(ｂｉｔ)で具現されうる(図８の(ｂ))。
【００３３】
第２例として、前記指示情報は、Ｐビットから構成されたビットマップ(ｂｉｔｍａｐ)形式の情報であり、各ビットは、フィードバックされる該当下向きリンク最適の送信ビームに対応する最適の受信ビームが最も最適の下向きリンク送信ビームに対応する最適の受信ビームと同一であるか否かを指示する(図８の(ｃ))。
【００３４】
第３例として、前記指示情報は、フィードバックされる候補下向きリンク送信ビームに対応するすべての最適の受信ビームインデックス情報を指示する情報である(図８の(ｄ))。
【００３５】
以後、基地局は、段階２０６で選択された一つの送信ビームパターンを用いて、バースト割り当てのための制御情報(例えば、ＭＡＰ情報)を端末に伝送する。他の具現によって、図９のように、最適の送信ビーム３に対応する受信ビーム１と、また、受信ビーム１に対応する送信ビーム６が存在する場合、２つの送信ビーム(送信ビーム３と送信ビーム６)を用いてＭＡＰ情報を伝送しうる。さらに他の具現によって、Ｐ個の候補下向きリンク送信ビームを用いてＭＡＰ情報を伝送しうる。
【００３６】
前記図２で説明された基地局のビーム割り当ての方案は、端末が受信ビームフォーミングを支援する場合に制限的に適用されうる。即ち、基地局と端末は、予め端末の受信ビームフォーミング能力(ｃａｐａｂｉｌｉｔｙ)に対してネゴシエーション(ｎｅｇｏｔｉａｔｉｏｎ)の過程を経て、受信ビームフォーミングを支援する端末に対してのみ前記割り当て規則を適用しうる。基地局は、受信ビームフォーミングを支援しない端末からフィードバックされたＰ個の送信ビームに基づいて基地局の任意にＭＡＰ送信のためのビームを選択することができる。また、基地局がネゴシエーションの過程を経て端末の受信ＲＦチェーン(ｃｈａｉｎ)の個数が２以上であることを確認した場合、前記方法を該当個数だけ拡張して適用しうる。
【００３７】
基地局がＭＡＰの伝送時に多数個の送信ビーム幅の一つを選択できる場合、予め定められた規則によって、即ち、最も広いビーム幅を持つ送信ビームで伝送、又は最も狭いビーム幅を持つ送信ビームで伝送など、ＭＡＰの送信ビーム幅を選択する。
【００３８】
図３は、本発明の第１実施例による端末のビーム割り当てのための流れ図を示す。この実施例によれば、端末は、初期のＭＡＰの受信時に受信ビームを割り当てる。
【００３９】
前記図３を参照すると、端末は、段階３００でＫ個の特定の送信ビームで伝送する基準信号をＮ(=Ｋ*Ｌ)回繰り返して受信し、段階３０２で端末は受信された基準信号のＲＳＳＩ、ＣＩＮＲ、又はＳＩＲなどが特定の臨界値(ｔｈｒｅｓｈｏｌｄ)以上であるＰ個の候補送・受信ビームを選択する。具現によって、基準信号のＲＳＳＩ、ＣＩＮＲ、又はＳＩＲなどを基準に送・受信ビームペア(ｐａｉｒ)を整列した後、予め定義された個数だけ送・受信ビームペアを選択することができる。具現によって端末は、Ｐ個の送信ビームを選択し、各送信ビームに対応する多数の最適受信ビームを選択することができる。具現によって、基準信号のＲＳＳＩ、ＣＩＮＲ、又はＳＩＲなどを基準に最も最適の送・受信ビームペアを決めた後、該当受信ビームに対応する最適の送信ビームＰ-１個を選択することができる。以後、端末は、段階３０４で選択したＰ個の送・受信ビームペア、又は送信ビームの情報を基地局に伝送する。具現によって、図８に示すように、Ｐ個の候補下向きリンク送信ビーム情報((ａ))とともに、Ｐ個の候補下向きリンク送信ビームが全て一つの下向きリンク受信ビームに対応するか否かに対する指示情報((ｂ))、又は最適の送信ビームに対応する最適の受信ビームが最も最適の下向きリンク送信ビームに対応する受信ビームと同一であるか否かを指示する情報((ｃ))、又はフィードバックされる候補下向きリンク送信ビームに対応するすべての受信ビームインデックス情報((ｄ))を伝達しうる。
【００４０】
以後、端末は、段階３０６でＰ個の送信ビームのうち最適の送信ビームに対応する受信ビームを用いてＭＡＰ情報を基地局から受信する。
【００４１】
以後、本発明の手順を終了する。
【００４２】
段階３００から段階３０４は、ＭＡＰ受信時ごとに必ずしも行なう必要はなく、周期的に、又は特定時点に必要に応じて行うことができる。
【００４３】
図４は、本発明の第２実施例による基地局のビーム割り当ての流れ図を示す。この実施例によれば、基地局は、ＭＡＰによって割り当てられるバーストを伝送時、送信ビームを割り当てる。
【００４４】
前記図４を参照すると、基地局は、段階４００で図１ａのように、Ｎ(=Ｋ*Ｌ)回繰り返して下向きリンク基準信号を伝送し、段階４０２で端末からＰ個の候補下向きリンク送信ビーム情報を受信する。段階４００及び段階４０２は、ＭＡＰ伝送時ごとに、又はデータバーストの伝送時、必ずしも行なう必要はなく、周期的に、又は特定時点に必要に応じて行うことができる。
【００４５】
基地局は、段階４０４でＰ個の送信ビームのうち、バースト伝送のための少なくとも一つ以上の送信ビームを選択する。
【００４６】
以後、基地局は、段階４０６で前記バースト伝送のための少なくとも一つ以上の前記送信ビーム情報を含む制御情報(例:ＭＡＰ)を生成し、段階４０８でも図２で説明された方案で選択された送信ビームを用いて制御情報を伝送する。
【００４７】
図１０は、本発明の実施例による制御情報の構造を示す。
【００４８】
図１０を参照すると、前記制御情報は、バースト割り当てのためのＭＡＰ１０１０と、バースト伝送のための少なくとも一つ以上の前記送信ビーム情報１０２０を含みうる。具現によって、前記送信ビーム情報１０２０は、バースト伝送のための少なくとも一つ以上の前記送信ビームインデックス１０２２を含みうる。
【００４９】
具現によって、前記送信ビーム情報１０２０は、以前の送信ビーム情報を更新するための情報を含みうる。例えば、以前のバースト伝送に使用した送信ビームに対して送信ビーム追加(ａｄｄ)、又は送信ビーム削除(ｄｅｌｅｔｅ)、又は送信ビーム修正(ｃｈａｎｇｅ)、又は変更無し(ｎｏｎｅ)(送信ビームインデックス情報のない場合)を含みうる。
【００５０】
以後、基地局は、段階４１０でＭＡＰ情報に割り当てられたバースト伝送時点であるかを判断し、バースト伝送時点である場合に段階４１２へ進み、バースト伝送時点でない場合、段階４１０へ進む。
【００５１】
基地局は、段階４１２で制御情報に含まれた送信ビーム情報に基づいてデータバーストを伝送する。前記制御情報に含まれた送信ビーム関連情報は、Ｐ個の送信ビームに基づいて選択されたバースト伝送のための送信ビームインデックスであるか、又は以下のような機能を通じて以前の送信ビーム情報を更新するための送信ビームインデックスであることがある。
【００５２】
- 送信ビーム追加機能(ＡＤＤ):ＨＡＲＱ再伝送時、以前のバーストを伝送する時に使用した送信ビームに現在制御情報に含まれた送信ビームを追加で使用してバーストを伝送する機能。ＨＡＲＱ初期伝送時には、ＨＡＲＱ以前に伝送がないのでＡＤＤ機能が必須的に使用される。
【００５３】
- 送信ビーム変更機能(ＣＨＡＮＧＥ):ＨＡＲＱ再伝送時、以前のバーストを伝送する時に使用した送信ビームの１つ以上を現在制御情報に含まれた送信ビームに変更してバーストを伝送する機能。
【００５４】
- 送信ビーム削除機能(ＤＥＬＥＴＥ):ＨＡＲＱ再伝送時、以前のバーストを伝送する時に使用した送信ビームの１つ以上を削除してバーストを伝送する機能。
【００５５】
- ＮＯＮＥ:ＨＡＲＱ再伝送時、以前のバーストを伝送する時に使用した送信ビームをそのままに使用してバーストを伝送する機能。
【００５６】
また、ＭＡＰに含まれた送信ビーム関連情報は、次のような方法で(３つの方法例示)、シグナリングされうる。
【００５７】
段階４０８のシグナリング方法で、先ず、１回のバースト割り当ての際(ＨＡＲＱ再送信を含む)、一つの送信ビームに対する命令のみを行なう。例えば、一つの送信ビームに対してのみ、ＡＤＤ、ＣＨＡＮＧＥ、ＮＯＮＥの機能を行い、従って、ＭＡＰは、一つの送信ビームインデックスのみを伝送する。送信ビームインデックスは、フィードバックの際、伝送する該当インデックスとなることもあり、フィードバックされた、又は、フィードバックした送信ビーム内で再び新たなインデックスを作ってシグナリングオーバーヘッドを減少させることができる。
【００５８】
他の具現によって、１回のバースト割り当ての際(ＨＡＲＱ再送信を含む)、一つ以上の送信ビームに対する命令を行なう。例えば、多数の送信ビームに対して、ＡＤＤ、ＣＨＡＮＧＥ、ＤＥＬＥＴＥ、ＮＯＮＥの機能を行い、従って、ＭＡＰには送信ビームインデックスと各ビームインデックスに対する機能情報に関連したビットを伝送する。
【００５９】
さらに他の具現によって、１回のバースト割り当ての際(ＨＡＲＱ再送信を含む)、フィードバックされたすべての送信ビームに対する命令を行なう。例えば、フィードバックされたすべての送信ビームに対するビットマップを設定してｏｎ/ｏｆｆとしてバーストの伝送時に使用すべきである送信ビームを知らせることができる。このような方法は、前記ＡＤＤ、ＣＨＡＮＧＥ、ＤＥＬＥＴＥ、ＮＯＮＥのすべての機能を１回に行うことができる。
【００６０】
以後、本発明の手順を終了する。
【００６１】
前記図４で説明されたデータバーストに対する基地局のビーム割り当ての方案は、端末が受信ビームフォーミングを行なう場合に制限的に適用されうる。即ち、基地局と端末は、予め端末の受信ビームフォーミング能力(ｃａｐａｂｉｌｉｔｙ)に対してネゴシエーション(ｎｅｇｏｔｉａｔｉｏｎ)の過程を経て、受信ビームフォーミングを支援する端末に対してのみＭＡＰに前記のようなシグナリング情報を伝送しうる。基地局は、受信ビームフォーミングを支援しない端末に対してＭＡＰに送信ビームに対する情報を伝送しないことがある。
【００６２】
基地局がデータの伝送時に多数個の送信ビーム幅の一つを選択できる場合、どのようなビーム幅の送信ビームを選択したかに対する情報を追加的にＭＡＰに伝送しうる(図１０の１０３０)。
【００６３】
図５は、本発明の第２実施例による端末のビーム割り当ての流れ図を示す。この実施例によれば、端末は、ＭＡＰによって割り当てられるバーストを受信する時、受信ビームを割り当てる。
【００６４】
前記図５を参照すると、端末は、段階５００でＫ個の特定の送信ビームで伝送する基準信号をＮ(=Ｋ*Ｌ)回繰り返して受信し、段階５０２で端末は受信された基準信号のＲＳＳＩ、ＣＩＮＲ、又はＳＩＲが特定の臨界値(ｔｈｒｅｓｈｏｌｄ)以上であるＰ個の候補送・受信ビームを選択する。
【００６５】
端末は、段階５０４で前記選択したＰ個の送・受信ビームペア、又は送信ビーム情報を基地局に伝送する。
【００６６】
端末は、段階５０６で図３で説明された方法で受信ビームを選択し、バースト割り当てのための制御情報(例:ＭＡＰ)を受信する。
【００６７】
以後、端末は、段階５０８で制御情報からバースト伝送のための送信ビームの情報を抽出し、段階５１０でバースト伝送のための送信ビームを決定し、前記決定された送信ビームに対応する受信ビームを確認する。すなわち、送・受信ビームペアに基づいて送信ビームに対応する受信ビームを確認することができる。
【００６８】
以後、端末は段階５１２で決定された受信ビームを用いて、バースト伝送時点にバーストデータを受信する。
【００６９】
以後、本発明の手順を終了する。
【００７０】
図６は、本発明の第３実施例による基地局のビーム割り当ての流れ図を示す。この実施例によれば、基地局は、ＭＡＰ及びＭＡＰによって割り当てられたバーストを伝送する時に送信ビームを割り当てる。
【００７１】
前記図６を参照すると、基地局は、段階６００でＫ個の下向きリンク基準信号を伝送し、段階６０２で端末からＰ個の候補下向きリンク送信ビーム情報を受信する。段階６００及び段階６０２は、ＭＡＰ伝送時ごとに、又はデータバースト伝送時、必ずしも行なう必要はなく、周期的に、又は特定時点に必要に応じて行うことができる。
【００７２】
基地局は、段階６０４でＰ個の送信ビームに基づいて制御情報伝送のための少なくとも一つ以上の前記送信ビームを選択し、データバースト伝送のための少なくとも一つ以上の前記送信ビームを選択する。
【００７３】
基地局は、段階６０６で前記バースト伝送のための少なくとも一つ以上の送信ビーム情報を含む制御情報(例:ＭＡＰ)を生成する。前記制御情報は、図１０に示すようにバースト割り当てのためのＭＡＰ１０１０と、バースト伝送のための少なくとも一つ以上の前記送信ビーム情報１０２０を含みうる。具現によって、前記送信ビーム情報１０２０は、バースト伝送のための少なくとも一つ以上の送信ビームインデックス１０２２を含みうる。具現によって、前記送信ビーム情報１０２０は、以前の送信ビーム情報を更新するための情報を含みうる。例えば、以前のバースト伝送に使用した送信ビームに対して送信ビーム追加(ａｄｄ)、又は送信ビーム削除(ｄｅｌｅｔｅ)、又は送信ビーム修正(ｃｈａｎｇｅ)、又は変更無し(ｎｏｎｅ)(送信ビームインデックス情報のない場合)を含みうる。
【００７４】
基地局は、段階６０８で前記選択された送信ビームを用いて制御情報を伝送する。段階６０８でＭＡＰに含まれた送信ビーム関連情報は、次のような方法で(３つの方法例示)シグナリングされうる。一つの具現によって、１回のバースト割り当ての際(ＨＡＲＱ再伝送を含む)、一つの送信ビームに対する命令のみを行なう。他の具現によって、１回のバースト割り当ての際(ＨＡＲＱ再伝送を含む)、一つ以上の送信ビームに対する命令を行なう。さらに他の具現によって、１回のバースト割り当ての際(ＨＡＲＱ再伝送を含む)フィードバックされたすべての送信ビームに対する命令を行なう。
【００７５】
基地局は、段階６１０で制御情報に含まれた送信ビーム情報に基づいてデータバーストを伝送する。前記制御情報に含まれた送信ビーム関連情報は、Ｐ個の送信ビームに基づいて選択されたバースト伝送のための送信ビームインデックスであるか、又は以前の送信ビーム情報を更新するための送信ビームインデックスであることがある。
【００７６】
前記図６で説明されたデータバーストに対する基地局のビーム割り当ての方案は、端末が受信ビームフォーミングを行なう場合に制限的に適用されうる。即ち、基地局と端末は、予め端末の受信ビームフォーミング能力(ｃａｐａｂｉｌｉｔｙ)に対してネゴシエーション(ｎｅｇｏｔｉａｔｉｏｎ)の過程を経て、受信ビームフォーミングを支援する端末に対してのみＭＡＰに前記のようなシグナリング情報を伝送しうる。基地局は、受信ビームフォーミングを支援しない端末に対してＭＡＰに送信ビームに対する情報を伝送しないことがある。
【００７７】
基地局が、データの伝送時、多数個の送信ビーム幅の一つを選択できる場合、どのようなビーム幅の送信ビームを選択したかに対する情報を追加的にＭＡＰに伝送しうる(図１０の１０３０)。
【００７８】
図７は、本発明の第３実施例による端末のビーム割り当ての流れ図を示す。この実施例によれば、端末はＭＡＰ及びＭＡＰによって割り当てられたバーストを受信する時、受信ビームを割り当てる。
【００７９】
前記図７を参照すると、端末は段階７００でＫ個の下向きリンク送信ビームを用いて伝送する基準信号を受信し、段階７０２で受信された基準信号のＲＳＳＩ、ＣＩＮＲ、又はＳＩＲが特定の臨界値(ｔｈｒｅｓｈｏｌｄ)以上であるＰ個の候補送信ビーム及び対応する受信ビームを選択する。端末は、段階７０４で前記選択されたＰ個の送信ビーム情報を基地局に伝送する。端末は、段階７０６でＰ個の送信ビームのうちに最適の送信ビームに対応する受信ビームを用いて制御情報(例:ＭＡＰ)を受信する。端末は、段階７０８で前記制御情報からデータバースト伝送のために使用された送信ビーム情報を抽出し、段階７１０で前記送信ビーム情報に基づいて受信ビームを決定する。端末は、段階７１２で決定された受信ビームを用いてデータバーストを受信する。
【００８０】
図１１は、本発明の一実施例によるビーム割り当て動作のための基地局と端末間での流れを示す。
【００８１】
図１１を参照すると、端末１２０は、基地局１１０から受信された基準信号に基づいて多数の候補下向きリンク送信ビームを決定し、この決定された候補下向きリンク送信ビームに対する情報のみを基地局１１０に伝送する動作に該当する。基地局１１０は、ＭＡＰ及びＭＡＰによって割り当てられたバーストを送信する時に送信ビームを割り当て、端末１２０は、ＭＡＰ及びＭＡＰによって割り当てられたバーストを受信する時に受信ビームを割り当てる動作に該当する。
【００８２】
前記図１１の段階１１００で基地局１１０は、多数の下向きリンク送信ビームを用いて基準信号を端末１２０に伝送する。
【００８３】
段階１１０２で端末１２０は、多数の下向きリンク送信ビームを用いて伝送される基準信号を基地局１１０から受信する。段階１１０４で端末１２０は、前記基準信号の受信に応答して多数の候補下向きリンク送信ビームを決定する。段階１１０６で端末１２０は、前記決定された候補下向きリンク送信ビームに対する情報を前記基地局１１０に伝送する。前記候補下向きリンク送信ビームの数は、１より大きく、前記下向きリンク送信ビームの数より小さいか、又は同じ値に決定されうる。
【００８４】
段階１１０８で基地局１１０は、前記基準信号の受信に応答して前記端末１２０により決定された多数の候補下向きリンク送信ビームに対する情報を受信する。段階１１１０で基地局１１０は、前記候補下向きリンク送信ビームの中から予め定められた規則によって少なくとも一つ以上の下向きリンク送信ビームを選択する。前記定められた規則は、予め前記端末１２０に通知される。前記定められた規則は、予め放送チャンネルを通じて前記端末に通知されうる。例えば、前記定められた規則は信号強度によって前記候補下向きリンク送信ビームの中から少なくとも一つ以上の前記下向きリンク送信ビームを選択する。
【００８５】
段階１１１２で基地局１１０は、バースト伝送のための送信ビーム情報を含む制御情報を生成する。段階１１１４で基地局１１０は、前記選択された送信ビームを用いて前記制御情報を伝送する。前記選択された送信ビームの数は１より大きく、前記候補下向きリンク送信ビームの数より小さいか、又は同じ値に決定される。一例として、前記制御情報は、バースト割り当てのためのＭＡＰ情報を含みうる。他の例として、前記制御情報は、データバースト伝送のための少なくとも一つ以上の送信ビームインデックスを含む。さらに他の例として、前記制御情報は、以前に伝送された制御情報に含まれた送信ビーム情報を更新するための情報を含む。
【００８６】
段階１１１６で端末１２０は、前記候補下向きリンク送信ビームの中から予め定められた規則によって選択された送信ビームの中から最適の下向きリンク送信ビームに対応する受信ビームを用いて前記基地局１１０からの制御情報を受信する。段階１１１８で端末１２０は、前記制御情報からデータバースト伝送のために使用された送信ビーム情報を抽出する。1１２０段階で端末１２０は、前記抽出された送信ビーム情報に基づいて受信ビームを決定する。
【００８７】
段階１１２２で基地局１１０は、前記制御情報に含まれた送信ビーム情報に基づいてデータバーストを伝送する。
【００８８】
段階１１２４で端末１２０は、前記決定された受信ビームを用いて前記基地局１１０からのデータバーストを受信する。
【００８９】
図１２は、本発明の他の実施例によるビーム割り当て動作のための基地局１１０と端末１２０間での流れを示す。
【００９０】
図１２を参照すると、端末１２０は、基地局１１０から受信された基準信号に基づいて多数の候補下向きリンク送信ビームを決定し、この決定された候補下向きリンク送信ビームに対する情報と対応する下向きリンク受信ビームに対する情報をともに基地局に伝送する。基地局１１０は、ＭＡＰ及びＭＡＰによって割り当てられたバーストを送信する時、送信ビームを割り当てて、端末１２０は、ＭＡＰ及びＭＡＰによって割り当てられたバーストを受信する時に受信ビームを割り当てる。
【００９１】
前記図１２の段階１２００で基地局１１０は、多数の下向きリンク送信ビームを用いて基準信号を端末に伝送する。
【００９２】
段階１２０２で端末１２０は、多数の下向きリンク送信ビームを用いて伝送される基準信号を基地局１１０から受信する。段階１２０４で端末１２０は、前記基準信号の受信に応答して多数の候補下向きリンク送信ビーム及び対応する最適の受信ビームを決定する。段階１２０６で端末１２０は、前記決定された候補下向きリンク送信ビームに対する情報及び最適の下向きリンク受信ビームを指示する情報を前記基地局１１０に伝送する。前記候補下向きリンク送信ビームの数は、１より大きく、前記下向きリンク送信ビームの数より小さいか、又は同じ値に決定されうる。一例として、前記指示情報は、前記候補下向きリンク送信ビームが全て一つの最適の下向きリンク受信ビームに対応するか否かを指示する情報を含む。他の例として、前記指示情報は、前記候補下向きリンク送信ビームのそれぞれに対応するビットから構成されるビットマップ形式を持ち、各ビットは、前記候補下向きリンク送信ビームのそれぞれに対応する受信ビームのそれぞれが一つの最適の下向きリンク受信ビームと同一であるか否かを指示する情報を含む。さらに他の例として、前記指示情報は、前記候補下向きリンク送信ビームのそれぞれに対応する下向きリンク受信ビームを指示する情報を含む。
【００９３】
段階１２０８で基地局１１０は、前記基準信号の受信に応答して前記端末１２０により決定された多数の候補下向きリンク送信ビームに対する情報及び最適の下向きリンク受信ビームを指示する情報を受信する。段階１２１０で基地局１１０は、前記候補下向きリンク送信ビームの中から予め定められた規則によって少なくとも一つ以上の前記下向きリンク送信ビームを選択する。前記定められた規則は、予め前記端末１２０に通知される。前記定められた規則は、予め放送チャンネルを通じて前記端末１２０に通知されうる。例えば、前記定められた規則は、信号強度によって前記候補下向きリンク送信ビームの中から少なくとも一つ以上の下向きリンク送信ビームを選択する。
【００９４】
段階１２１２で基地局１１０は、バースト伝送のための送信ビーム情報を含む制御情報を生成する。段階１２１４で基地局１１０は、前記選択された送信ビームを用いて前記制御情報を伝送する。前記選択された送信ビームの数は、１より大きく、前記候補下向きリンク送信ビームの数より小さいか、又は同じ値に決定される。一例として、前記制御情報は、バースト割り当てのためのＭＡＰ情報を含みうる。他の例として、前記制御情報は、データバースト伝送のための少なくとも一つ以上の前記送信ビームインデックスを含む。さらに他の例として、前記制御情報は、以前に伝送された制御情報に含まれた送信ビーム情報を更新するための情報を含む。
【００９５】
段階１２１６で端末１２０は、前記候補下向きリンク送信ビームの中から予め定められた規則によって選択された送信ビームの中から最適の下向きリンク送信ビームに対応する受信ビームを用いて前記基地局からの制御情報を受信する。段階１２１８で端末１２０は、前記制御情報からデータバースト伝送のために使用された送信ビーム情報を抽出する。段階１２２０で端末１２０は、前記抽出された送信ビーム情報に基づいて受信ビームを決定する。
【００９６】
段階１２２２で基地局１１０は、前記制御情報に含まれた送信ビーム情報に基づいてデータバーストを伝送する。
【００９７】
段階１２２４で端末１２０は、前記決定された受信ビームを用いて前記基地局１１０からのデータバーストを受信する。
【００９８】
図１３は、本発明の実施例によるビーム割り当て動作のための基地局装置を示す。図１４は、本発明の実施例によるビーム割り当て動作のための端末装置の構成を示す。
【００９９】
前記図１３及び図１４を参照すると、端末１２０は、制御部１４００、受信部１４１０、及び送信部１４２０を含んで構成され、同様に、基地局１１０も制御部１３００、受信部１３２０、及び送信部１３１０を含んで構成される。
【０１００】
前記受信部１３２０、１４１０は、多数のアンテナを通じて受信されるＲＦ(Ｒａｄｉｏ  Ｆｒｅｑｕｅｎｃｙ)信号をベースバンド信号処理する。
【０１０１】
例えば、ＯＦＤＭ方式を用いる場合、アナログ信号をサンプルデータに変換し、前記サンプルデータをＦＦＴ(Ｆａｓｔ  Ｆｏｕｒｉｅｒ  Ｔｒａｎｓｆｏｒｍ)して周波数領域のデータに変換し、前記周波数領域のデータから実際に受信しようとする副搬送波のデータを選択して出力する。そして、前記データを予め定められた変調水準(ＭＣＳレベル)によって復調(ｄｅｍｏｄｕｌａｔｉｏｎ)及び復号(ｄｅｃｏｄｉｎｇ)して制御部１３００、１４００に提供する。さらに他の一例として、ＣＤＭＡ方式を用いる場合、前記受信部１３２０、１４１０は、データをチャンネルデコード(ｃｈａｎｎｅｌ  ｄｅｃｏｄｉｎｇ)及び逆拡散(ｓｐｒｅａｄｉｎｇ)する機能を遂行することができる。
【０１０２】
前記送信部１３１０、１４２０は、ベースバンド信号をＲＦ(Ｒａｄｉｏ  Ｆｒｅｑｕｅｎｃｙ)信号に変換して送信する。例えば、前記送信部１３１０、１４２０は、前記制御部１３００、１４００からのデータを予め定められた変調水準(ＭＣＳレベル)によって符号及び変調する。また、変調されたシンボルに対してＩＦＦＴ(Ｉｎｖｅｒｓｅ  Ｆａｓｔ  Ｆｏｕｒｉｅｒ  Ｔｒａｎｓｆｏｒｍ)してサンプルデータ(ＯＦＤＭシンボル)を出力し、前記サンプルデータをアナログ信号に変換し、前記アナログ信号をＲＦ(Ｒａｄｉｏ Ｆｒｅｑｕｅｎｃｙ)信号に変換してアンテナを通じて送信する。
【０１０３】
さらに他の一例として、前記送信部１３１０、１４２０は、送信するデータをチャンネルコーディング(ｃｈａｎｎｅｌ  ｃｏｄｉｎｇ)及び拡散(ｓｐｒｅａｄｉｎｇ)する機能を遂行することができる。
【０１０４】
前述の構成において、前記制御部１３００、１４００はプロトコル制御部であって、前記制御部１４００は、全般的な端末１２０の動作を制御し、前記制御部１３００は、全般的な基地局１１０の動作を制御する。また、前記制御部１３００、１４００は、プロトコル処理の遂行中に必要な情報を物理階層の該当構成部から提供されたり、物理階層の該当構成部に制御信号を発生したりする。
【０１０５】
前記制御部１３００、１４００は、本発明の実施例によるビーム割り当てのために、図２ないし図１２に説明された実施例による端末１２０及び基地局１１０の動作を制御する。
【０１０６】
図１３を参照すると、基地局１１０の制御部１３００は、ビームフィードバック処理部１３０２、ビーム選択部１３０４、及びバースト及び制御情報生成部１３０６を含む。
【０１０７】
ビームフィードバック処理部１３０２は、多数の下向きリンク送信ビームを用いて伝送された基準信号の受信に応答して前記端末１２０により決定された多数の候補下向きリンク送信ビームに対する情報を受信処理する。他の例として、ビームフィードバック処理部１３０２は、多数の下向きリンク送信ビームを用いて伝送された基準信号の受信に応答して前記端末１２０により決定された多数の候補下向きリンク送信ビームに対する情報及び最適の下向きリンク受信ビームを指示する情報を受信処理する。
【０１０８】
ビーム選択部１３０４は、前記候補下向きリンク送信ビームの中から予め定められた規則によって少なくとも一つ以上の下向きリンク送信ビームを選択する。前記定められた規則は、予め前記端末１２０に通知される。前記定められた規則は、予め放送チャンネルを通じて前記端末１２０に通知されうる。例えば、前記定められた規則は信号強度によって前記候補下向きリンク送信ビームの中から少なくとも一つ以上の下向きリンク送信ビームを選択する。前記選択された送信ビームの数は１より大きく、前記候補下向きリンク送信ビームの数より小さいか、又は同じ値に決定される。
【０１０９】
バースト及び制御情報生成部１３０６は、バースト伝送のための送信ビーム情報を含む制御情報を生成する。一例として、前記制御情報は、バースト割り当てのためのＭＡＰ情報を含みうる。他の例として、前記制御情報は、データバースト伝送のための少なくとも一つ以上の前記送信ビームインデックスを含む。さらに他の例として、前記制御情報は、以前に伝送された制御情報に含まれた送信ビーム情報を更新するための情報を含む。また、バースト及び制御情報生成部１３０６は、前記制御情報に含まれた送信ビーム情報に基づいてデータバーストを生成する。
【０１１０】
図１４を参照すると、端末１２０の制御部１４００は、ビーム測定及び選択部１４０２、ビームフィードバック生成部１４０４、並びにバースト及び制御情報処理部１４０６を含む。
【０１１１】
ビーム測定及び選択部１４０２は、基地局１１０から多数の下向きリンク送信ビームを用いて伝送された基準信号の受信に応答して多数の候補下向きリンク送信ビームを選択する。他の例として、ビーム測定及び選択部１４０２は、基地局１１０から多数の下向きリンク送信ビームを用いて伝送された基準信号の受信に応答して多数の候補下向きリンク送信ビーム及び対応する最適の受信ビームを選択する。
【０１１２】
ビームフィードバック生成部１４０４は、前記決定された候補下向きリンク送信ビームに対する情報を生成する。他の例として、ビームフィードバック生成部１４０４は、前記決定された候補下向きリンク送信ビームに対する情報及び最適の下向きリンク受信ビームを指示する情報を生成する。前記候補下向きリンク送信ビームの数は、１より大きく、前記下向きリンク送信ビームの数より小さいか、又は同じ値に決定されうる。一例として、前記指示情報は、前記候補下向きリンク送信ビームが全て一つの最適の下向きリンク受信ビームに対応するか否かを指示する情報を含む。他の例として、前記指示情報は、前記候補下向きリンク送信ビームのそれぞれに対応するビットから構成されるビットマップ形式を持ち、各ビットは、前記候補下向きリンク送信ビームのそれぞれに対応する受信ビームのそれぞれが一つの最適の下向きリンク受信ビームと同一であるか否かを指示する情報を含む。さらに他の例として、前記指示情報は、前記候補下向きリンク送信ビームのそれぞれに対応する下向きリンク受信ビームを指示する情報を含む。
【０１１３】
バースト及び制御情報処理部１４０６は、前記候補下向きリンク送信ビームの中から予め定められた規則によって選択された送信ビームの中から最適の下向きリンク送信ビームに対応する受信ビームを用いて受信された前記基地局１１０からの制御情報を処理する。バースト及び制御情報処理部１４０６は、前記制御情報からデータバースト伝送のために使用された送信ビーム情報を抽出し、前記抽出された送信ビーム情報に基づいて受信ビームを決定する。バースト及び制御情報処理部１４０６は、前記決定された受信ビームを用いて前記基地局１１０からの受信されたデータバーストを処理する。
【０１１４】
例えば、図２及び図３に示された第１実施例によれば、基地局１１０の制御部１３００は、繰り返して下向きリンク基準信号を伝送し、端末１２０からＰ個の候補下向きリンク送信ビーム情報を受信し、多数の候補下向きリンク送信ビームのうち、一つの最適の送信ビームを選択する。例えば、基地局１１０は、端末１２０からフィードバックされたＰ個の送信ビームのうち、最適の送信ビーム、即ち、基準信号のＲＳＳＩ、ＣＩＮＲ、ＳＩＲなどが最も大きな送信ビームを選択する。また、前記制御部１３００は、選択された一つの送信ビームパターンを用いて、バースト割り当てのための制御情報(ＭＡＰ情報)を端末１２０に伝送する。
【０１１５】
具現によって、端末が基地局にＰ個の候補下向きリンク送信ビーム情報をフィードバックする時、対応する最適の受信ビーム情報をともに伝達しない場合、基地局は、最も最適の送信ビームを選択する。
【０１１６】
さらに他の具現によって、端末が基地局にＰ個の下向きリンク最適の送信ビーム情報のフィードバックの際、Ｐ個の候補下向きリンク送信ビームが全て一つの下向きリンク最適受信ビームに対応するか否かに対する情報として１ｂｉｔで伝達されるか、又はビットマップ(ｂｉｔｍａｐ)の形式で各ビットは、フィードバックされる該当下向きリンク最適の送信ビームに対応する最適の受信ビームが、最も最適の下向きリンク送信ビームに対応する最適の受信ビームと同一であるか否かを指示する。又は、フィードバックされる候補下向きリンク送信ビームに対応するすべての最適の受信ビームインデックス情報を伝達しうる。
【０１１７】
第１実施例によれば、端末１２０の制御部１４００は、Ｎ個の特定の送信ビームで伝送する基準信号を受信し、基準信号のＲＳＳＩ、ＣＩＮＲ、又はＳＩＲが特定の臨界値(ｔｈｒｅｓｈｏｌｄ)以上のＰ個の候補送・受信ビームを選択する。具現によって、基準信号のＲＳＳＩ、ＣＩＮＲ、又はＳＩＲを基準に送・受信ビームペアを整列した後、予め定義された個数だけ送・受信ビームペアを選択することができる。また、前記制御部１４００は、選択したＰ個の送・受信ペア、又は送信ビーム情報を基地局に伝送する。具現によって、Ｐ個の候補下向きリンク送信ビーム情報とともに、Ｐ個の候補下向きリンク送信ビームが全て一つの下向きリンク最適受信ビームに対応するか否かに対する指示情報、又は最適の送信ビームに対応する最適の受信ビームが最も最適の下向きリンク送信ビームに対応する受信ビームと同一であるか否かを指示する情報、又は、フィードバックされる候補下向きリンク送信ビームに対応するすべての最適の受信ビームインデックス情報を伝達しうる。
【０１１８】
図４及び図５に示された第２実施例によれば、基地局１１０の制御部１３００は、Ｐ個の送信ビームのうち、バースト伝送のための少なくとも一つ以上の前記送信ビームを選択し、前記バースト伝送のための少なくとも一つ以上の送信ビーム情報を含む制御情報(例:ＭＡＰ)を構成し、該当送信ビーム情報を用いてＭＡＰ情報を伝送する。具現によって、制御情報は、以前の送信ビーム情報を更新するための情報を含みうる。例えば、以前のバースト伝送に使用した送信ビームに対して送信ビーム追加(ａｄｄ)、又は送信ビーム削除(ｄｅｌｅｔｅ)、又は送信ビーム修正(ｃｈａｎｇｅ)、又は変更無し(ｎｏｎｅ)(送信ビームインデックス情報のない場合)を含みうる。
【０１１９】
また、前記制御部１３００は、ＭＡＰ情報に割り当てられたバースト伝送時点なのかを判断し、制御情報に含まれた送信ビーム情報に基づいてバーストデータを伝送する。前記制御情報に含まれた送信ビーム関連情報は、Ｐ個の送信ビームのうち、バースト伝送のための送信ビームインデックスであるか、又は以下のような機能を通じて以前の送信ビーム情報を更新するための送信ビームインデックスであることがある。
【０１２０】
第２実施例によれば、端末１２０の制御部１４００は、以前の受信ビーム情報に基づいて、バースト割り当てのための制御情報(例:ＭＡＰ)を受信し、制御情報からバースト伝送のための送信ビームインデックス情報を抽出し、バースト伝送のための送信ビームを決定し、前記決定された送信ビームに対応する受信ビームを確認する。すなわち、送・受信ビームペアに基づいて送信ビームに対応する受信ビームを確認することができる。また、前記制御部１４００は、決定された受信ビームを用いて、バースト伝送時点にバーストデータを受信する。
【０１２１】
本発明は、下向きリンクビームの割り当てを例として説明したが、上向きリンクビームの割り当てにも適用できることは自明の事実である。
【０１２２】
一方、本発明の詳細な説明では具体的な実施例について説明したが、本発明の範囲から外れない限度内で様々な変形が可能であることは言うまでもない。したがって、本発明の範囲は説明された実施例に限られて定められてはならず、後述する特許請求の範囲だけでなく、この特許請求の範囲と均等なものによって定められなければならない。
【符号の説明】
【０１２３】
１３０２  ビームフィードバック処理部
１３０４  ビーム選択部
１３０６  バースト及び制御情報生成部
１３１０  送信部
１３２０  受信部
【図１ａ】
2014526837.tif 000003
【図１ｂ】
2014526837.tif 000004
【図１ｃ】
2014526837.tif 000005
【図１ｄ】
2014526837.tif 000006
【図２】
2014526837.tif 000007
【図３】
2014526837.tif 000008
【図４】
2014526837.tif 000009
【図５】
2014526837.tif 000010
【図６】
2014526837.tif 000011
【図７】
2014526837.tif 000012
【図８】
2014526837.tif 000013
【図９】
2014526837.tif 000014
【図１０】
2014526837.tif 000015
【図１１】
2014526837.tif 000016
【図１２】
2014526837.tif 000017
【図１３】
2014526837.tif 000018
【図１４】
2014526837.tif 000019
【手続補正書】
【提出日】平成26年3月18日(2014.3.18)
【手続補正１】
【補正対象書類名】特許請求の範囲
【補正対象項目名】全文
【補正方法】変更
【補正の内容】
【特許請求の範囲】
【請求項１】
無線通信システムにおける基地局のビーム割り当て方法であって、
多数の候補下向きリンク送信ビームの中から予め定められた規則によって少なくとも一つの下向きリンク送信ビームを選択する過程と、
バースト伝送のための、前記選択された少なくとも一つの下向きリンク送信ビーム情報を含む制御情報を生成する過程と、
前記選択された少なくとも一つの下向きリンク送信ビームを用いて前記制御情報を端末に伝送する過程と、
を含む、方法。
【請求項２】
多数の下向きリンク送信ビームを用いて基準信号を前記端末に伝送する過程と、
前記基準信号の受信に応答して前記端末により決定された多数の候補下向きリンク送信ビームに対する情報を受信する過程をさらに含む、請求項１に記載の方法。
【請求項３】
前記制御情報に含まれた送信ビーム情報に基づいてデータバーストを前記端末に伝送する過程をさらに含む、請求項１に記載の方法。
【請求項４】
前記定められた規則は、
予め前記基地局から前記端末に通知される、請求項１に記載の方法。
【請求項５】
前記定められた規則は、
予め放送チャンネルを通じて前記基地局から前記端末に通知される、請求項４に記載の方法。
【請求項６】
前記定められた規則は、
信号強度によって前記多数の候補下向きリンク送信ビームの中から少なくとも一つの下向きリンク送信ビームを選択するように使用される、請求項４に記載の方法。
【請求項７】
前記多数の候補下向きリンク送信ビームの数は、
１より大きく、多数の下向きリンク送信ビームの数より小さいか、又は同じである、請求項１に記載の方法。
【請求項８】
前記制御情報は、
バースト割り当てのためのＭＡＰ情報を含む、請求項１に記載の方法。
【請求項９】
前記選択された少なくとも一つの下向きリンク送信ビームの数は、
１より大きく、前記多数の候補下向きリンク送信ビームの数より小さいか、又は同じである、請求項１に記載の方法。
【請求項１０】
前記制御情報は、
データバースト伝送のための少なくとも一つの送信ビームインデックスを含む、請求項１に記載の方法。
【請求項１１】
前記制御情報は、
以前に伝送された制御情報に含まれた送信ビーム情報を更新するための情報を含む、請求項１に記載の方法。
【請求項１２】
前記多数の候補下向きリンク送信ビームに対応する前記端末での一つ以上の最適の下向きリンク受信ビームを指示する指示情報を受信する過程をさらに含む、請求項１に記載の方法。
【請求項１３】
前記指示情報は、
前記多数の候補下向きリンク送信ビームのうちの任意のビームが、一つの最適の下向きリンク受信ビームに対応するか否かを指示する情報を含む、請求項１２に記載の方法。
【請求項１４】
前記指示情報は、
前記多数の候補下向きリンク送信ビームに対応するビットから構成されるビットマップ形式を持ち、
各ビットは、
各候補下向きリンク送信ビームに対応する受信ビームが、最適の下向きリンク受信ビームであるか否かを指示する情報を含む、請求項１２に記載の方法。
【請求項１５】
前記指示情報は、
前記多数の候補下向きリンク送信ビームに対応する下向きリンク受信ビームを指示する情報を含む、請求項１２に記載の方法。
【請求項１６】
無線通信システムにおける基地局のビーム割り当て装置であって、
多数の候補下向きリンク送信ビームから選択された少なくとも一つの下向きリンク送信ビームを用いて制御情報を端末に伝送し、前記制御情報に含まれた送信ビーム情報に基づいてデータバーストを前記端末に伝送する送信機と、
前記多数の候補下向きリンク送信ビームの中から予め定められた規則によって前記少なくとも一つの下向きリンク送信ビームを選択し、バースト伝送のための前記制御情報を生成する制御部と、を含み、
前記制御情報は、前記選択された候補下向きリンク送信ビーム情報を含む、装置。
【請求項１７】
前記送信機は、
多数の下向きリンク送信ビームを用いて基準信号を前記端末に伝送し、
前記基準信号の受信に応答して前記端末によって決定された前記多数の候補下向きリンク送信ビームに対する情報を受信する受信機をさらに含む、請求項１６に記載の装置。
【請求項１８】
前記送信機は、
前記制御情報に含まれた送信ビーム情報に基づいてデータバーストを前記端末に伝送する請求項１６に記載の装置。
【請求項１９】
前記定められた規則は、
予め前記基地局から前記端末に通知される、請求項１６に記載の装置。
【請求項２０】
前記定められた規則は、
予め放送チャンネルを通じて前記基地局から前記端末に通知される、請求項１９に記載の装置。
【請求項２１】
前記定められた規則は、
信号強度によって前記多数の候補下向きリンク送信ビームの中から少なくとも一つの下向きリンク送信ビームを選択するように使用される、請求項１９に記載の装置。
【請求項２２】
前記多数の候補下向きリンク送信ビームの数は、
１より大きく、多数の下向きリンク送信ビームの数より小さいか、又は同じである、請求項１６に記載の装置。
【請求項２３】
前記制御情報は、
バースト割り当てのためのＭＡＰ情報を含む、請求項１６に記載の装置。
【請求項２４】
前記選択された少なくとも一つの下向きリンク送信ビームの数は、
１より大きく、前記多数の候補下向きリンク送信ビームの数より小さいか、又は同じである、請求項１６に記載の装置。
【請求項２５】
前記送信ビーム情報は、
データバースト伝送のための少なくとも一つの送信ビームインデックスを含む、請求項１６に記載の装置。
【請求項２６】
前記送信ビーム情報は、
以前に伝送された制御情報に含まれた送信ビーム情報を更新するための情報を含む、請求項１６に記載の装置。
【請求項２７】
前記多数の候補下向きリンク送信ビームに対応する前記端末での一つ以上の最適の下向きリンク受信ビームを指示する指示情報を受信する過程をさらに含む、請求項１６に記載の装置。
【請求項２８】
前記指示情報は、
前記多数の候補下向きリンク送信ビームのうちの任意のビームが、一つの最適の下向きリンク受信ビームに対応するか否かを指示する情報を含む、請求項２７に記載の装置。
【請求項２９】
前記指示情報は、
前記多数の候補下向きリンク送信ビームに対応するビットから構成されるビットマップ形式を持ち、
各ビットは、
各候補下向きリンク送信ビームに対応する受信ビームが、最適の下向きリンク受信ビームであるか否かを指示する情報を含む、請求項２７に記載の装置。
【請求項３０】
前記指示情報は、
前記多数の候補下向きリンク送信ビームに対応する下向きリンク受信ビームを指示する情報を含む、請求項２７に記載の装置。
【請求項３１】
無線通信システムにおける端末のビーム割り当て方法であって、
多数の候補下向きリンク送信ビームに対する情報を基地局に伝送する過程と、
前記多数の候補下向きリンク送信ビームの中から予め定められた規則によって選択された一つ以上の前記下向きリンク送信ビームの中から最適の下向きリンク送信ビームに対応する受信ビームを用いて前記基地局からの制御情報を受信する過程と、
前記制御情報からデータバースト伝送のために使用された送信ビーム情報を抽出する過程と、
前記抽出された送信ビーム情報に基づいて受信ビームを決定する過程と、
前記決定された受信ビームを用いて前記基地局からのデータバーストを受信する過程と、を含む、方法。
【請求項３２】
多数の下向きリンク送信ビームを用いて伝送される基準信号を前記基地局から受信する過程と、
前記基準信号の受信に応答して前記多数の候補下向きリンク送信ビームを決定する過程をさらに含む、請求項３１に記載の方法。
【請求項３３】
前記制御情報からデータバースト伝送のために使用された送信ビーム情報を抽出する過程と、
前記抽出された送信ビーム情報に基づいて受信ビームを決定する過程と、
前記決定された受信ビームを用いて前記基地局からのデータバーストを受信する過程をさらに含む、請求項３１に記載の方法。
【請求項３４】
前記定められた規則は、
予め前記基地局から前記端末に通知される、請求項３１に記載の方法。
【請求項３５】
前記定められた規則は、
予め放送チャンネルを通じて前記基地局から前記端末に通知される、請求項３４に記載の方法。
【請求項３６】
前記定められた規則は、
信号強度によって前記多数の候補下向きリンク送信ビームの中から少なくとも一つの下向きリンク送信ビームを選択するように使用される、請求項３４に記載の方法。
【請求項３７】
前記多数の候補下向きリンク送信ビームの数は、
１より大きく、多数の下向きリンク送信ビームの数より小さいか、又は同じである、請求項３１に記載の方法。
【請求項３８】
前記制御情報は、
バースト割り当てのためのＭＡＰ情報を含む、請求項３１に記載の方法。
【請求項３９】
前記選択された少なくとも一つの下向きリンク送信ビームの数は、
１より大きく、前記多数の候補下向きリンク送信ビームの数より小さいか、又は同じである、請求項３１に記載の方法。
【請求項４０】
前記送信ビーム情報は、
データバースト伝送のための少なくとも一つの送信ビームインデックスを含む、請求項３３に記載の方法。
【請求項４１】
前記送信ビーム情報は、
以前に伝送された制御情報に含まれた送信ビーム情報を更新するための情報を含む、請求項３３に記載の方法。
【請求項４２】
前記多数の候補下向きリンク送信ビームに対応する一つ以上の最適の下向きリンク受信ビームを指示する指示情報を送信する過程をさらに含む、請求項３３に記載の方法。
【請求項４３】
前記指示情報は、
前記多数の候補下向きリンク送信ビームのうちの任意のビームが、一つの最適の下向きリンク受信ビームに対応するか否かを指示する情報を含む、請求項４２に記載の方法。
【請求項４４】
前記指示情報は、
前記多数の候補下向きリンク送信ビームに対応するビットから構成されるビットマップ形式を持ち、
各ビットは、
各候補下向きリンク送信ビームに対応する受信ビームが、最適の下向きリンク受信ビームであるか否かを指示する情報を含む、請求項４２に記載の方法。
【請求項４５】
前記指示情報は、
前記多数の候補下向きリンク送信ビームに対応する下向きリンク受信ビームを指示する情報を含む、請求項４２に記載の方法。
【請求項４６】
無線通信システムにおける端末のビーム割り当て装置であって、
多数の下向きリンク送信ビームを用いて伝送される基準信号と、制御情報及びデータバーストを基地局から受信するための受信機と、
多数の候補下向きリンク送信ビームに対する情報を基地局に送信するための送信機と、
前記多数の候補下向きリンク送信ビームの中から予め定められた規則によって選択された一つ以上の送信ビームの中から最適の下向きリンク送信ビームに対応する受信ビームを用いて前記基地局から制御情報を受信するための受信機と、
前記基準信号の受信に応答して前記多数の候補下向きリンク送信ビームを決定し、前記制御情報から前記データバースト伝送のために使用された送信ビーム情報を抽出し、前記抽出された送信ビーム情報に基づいて受信ビームを決定する制御部と、を含み、
前記制御情報は、
前記多数の候補下向きリンク送信ビームの中から予め定められた規則によって選択された一つ以上の送信ビームの中から最適の下向きリンク送信ビームに対応する受信ビームを用いて前記基地局から前記受信機によって受信され、
前記データバーストは、
前記決定された受信ビームを用いて前記基地局から前記受信機によって受信される、装置。
【請求項４７】
前記受信機は、
多数の下向きリンク送信ビームを用いて伝送される基準信号を前記基地局から受信し、
前記基準信号の受信に応答して前記多数の候補下向きリンク送信ビームを決定する制御部をさらに含む、請求項４６に記載の装置。
【請求項４８】
前記制御情報から前記データバースト伝送のために使用された送信ビーム情報を抽出し、前記抽出された送信ビーム情報に基づいて受信ビームを決定する制御部をさらに含み、
前記受信機は、
前記決定された受信ビームを用いてデータバーストを前記基地局から受信する請求項４６に記載の装置。
【請求項４９】
前記定められた規則は、
予め前記基地局から前記端末に通知される、請求項４６に記載の装置。
【請求項５０】
前記定められた規則は、
予め放送チャンネルを通じて前記基地局から前記端末に通知される、請求項４９に記載の装置。
【請求項５１】
前記定められた規則は、
信号強度によって前記多数の候補下向きリンク送信ビームの中から少なくとも一つの下向きリンク送信ビームを選択するように使用される、請求項４９に記載の装置。
【請求項５２】
前記多数の候補下向きリンク送信ビームの数は、
１より大きく、前記多数の下向きリンク送信ビームの数より小さいか、又は同じである、請求項４６に記載の装置。
【請求項５３】
前記制御情報は、
バースト割り当てのためのＭＡＰ情報を含む、請求項４６に記載の装置。
【請求項５４】
前記選択された少なくとも一つの下向きリンク送信ビームの数は、
１より大きく、前記多数の候補下向きリンク送信ビームの数より小さいか、又は同じである、請求項４６に記載の装置。
【請求項５５】
前記送信ビーム情報は、
データバースト伝送のための少なくとも一つの送信ビームインデックスを含む、請求項４６に記載の装置。
【請求項５６】
前記送信ビーム情報は、
以前に伝送された制御情報に含まれた送信ビーム情報を更新するための情報を含む、請求項４６に記載の装置。
【請求項５７】
前記多数の候補下向きリンク送信ビームに対する情報を伝送するとともに、前記多数の候補下向きリンク送信ビームに対応する一つ以上の最適の下向きリンク受信ビームを指示する指示情報を送信する過程をさらに含む、請求項４６に記載の装置。
【請求項５８】
前記指示情報は、
前記多数の候補下向きリンク送信ビームのうちの任意のビームが、一つの最適の下向きリンク受信ビームに対応するか否かを指示する情報を含む、請求項５７に記載の装置。
【請求項５９】
前記指示情報は、
前記多数の候補下向きリンク送信ビームに対応するビットから構成されるビットマップ形式を持ち、
各ビットは、
各候補下向きリンク送信ビームに対応する受信ビームが、最適の下向きリンク受信ビームであるか否かを指示する情報を含む、請求項５７に記載の装置。
【請求項６０】
前記指示情報は、
前記多数の候補下向きリンク送信ビームに対応する下向きリンク受信ビームを指示する情報を含む、請求項５７に記載の装置。
【国際調査報告】
2014526837.tif 000020
2014526837.tif 000021
2014526837.tif 000022